(57)【要約】【課題】収納されたウエットティッシュ中の水分の蒸散防止性に優れ、使用後の廃棄に際し、環境に係わる負荷を軽減でき、環境汚染を防止できるウエットティッシュ収納容器を提供する。【解決手段】内部にウエットティッシュ３１を収納すると共にその天板２に開口部３を有する紙製筺本体１と、天板２に貼付けられウエットティッシュを取出す取出孔５を備えた裏面フィルム４と、開口部３を覆って該天板２に粘着剤層７を介して着脱自在に粘着する密閉紙蓋とを有し、筺本体１内面に生分解性樹脂による耐水処理が施されているウエットティッシュ収納容器【選択図】図２
2005219773.tif 000002
【特許請求の範囲】
【請求項１】
内部にウエットティッシュを収納すると共にその天板に開口部を有する紙製筺本体と、該天板の下面に貼着され該ウエットティッシュを取出す取出孔を前記開口部内に形成した裏面フィルムと、該天板の上面の少なくとも該開口部外周縁部に形成した粘着剤層と、前記開口部を覆って該粘着剤層に着脱自在に粘着する密閉紙蓋とを有するウエットティッシュ収納容器であって、該紙製筺本体が内面を生分解性樹脂による耐水処理が施されてなることを特徴とするウエットティッシュ収納容器。
【請求項２】
内部にウエットティッシュを収納すると共にその天板に開口部を有する紙製筺本体と、該天板の下面に貼付けられ該ウエットティッシュを取出す取出孔を前記開口部内に形成した裏面フィルムと、該裏面フィルムの上面の少なくとも取出孔周縁部に形成した粘着剤層と、該取出孔を覆って該粘着剤層に着脱自在に粘着する開閉フラップと、該開閉フラップを覆って開閉する開閉紙蓋とを有するウエットティッシュ収納容器であって、該紙製筐本体が内面を生分解性樹脂による耐水処理が施されてなることを特徴とするウエットティッシュ収納容器。
【請求項３】
内部にウエットティッシュを収納すると共にその天板に開口部を有する紙製筺本体と、該天板の下面に貼付けられ該ウエットティッシュを取出す取出孔を前記開口部内に形成した裏面フィルムと、該裏面フィルムの該取出孔を覆って裏面フィルムの上面に着脱自在に粘着する開閉フラップであって下面に粘着剤層を形成した開閉フラップと、該開閉フラップを覆って開閉する開閉紙蓋とを有するウエットティッシュ収納容器であって、該紙製筐本体が内面を生分解性樹脂による耐水処理が施されてなることを特徴とするウエットティッシュ収納容器。
【請求項４】
取出孔がスリット状または楕円状である請求項１乃至３の何れかに記載のウエットティッシュ収納容器。
【請求項５】
開閉紙蓋がその一端を筺本体にヒンジ部を介して連結されている請求項１乃至３の何れかに記載のウエットティッシュ収納容器。
【請求項６】
開閉紙蓋の他端側に筺本体と係合する嵌合用突起を有する請求項１乃至３の何れかに記載のウエットティッシュ収納容器。
【請求項７】
生分解性樹脂が、脂肪族ポリエステル系生分解性樹脂、澱粉系生分解性樹脂、ポリ乳酸系生分解性樹脂、セルロース系生分解性樹脂及びポリビニルアルコール系生分解性樹脂よりなる群から選ばれる少なくとも１種である請求項１乃至６の何れかに記載のウエットティッシュ収納容器。
【請求項８】
ウエットティッシュが、セルロース成分９０質量％以上の抄紙シート又は不織布からなる薄葉体と、該薄葉体１００質量部に対し５〜１００質量部の水分とからなる請求項１乃至７の何れかに記載のウエットティッシュ収納容器。
【発明の詳細な説明】
【技術分野】
【０００１】
本発明は、ウエットティッシュ収納容器に関する。更に詳しくは、ウエットティッシュ中の水分の蒸散防止性、剛性に優れ、使用後の廃棄に際し環境に係わる負荷を軽減でき、環境汚染を防止できるウエットティッシュ収納容器に関する。
【背景技術】
【０００２】
セルロースを主成分とする抄紙シートや不織布に水分を含浸させたものはウエットティッシュとして広く利用されている。これらのウエットティッシュは、通常プラスティックや金属箔ラミネートフィルムを用いて製造した容器、或は防水処理を施された紙容器に収納されて市販されている。
【０００３】
プラスティックシートや金属箔ラミネートフィルムを用いたウエットティッシュ容器としては、例えば、ポリエチレンテレフタレートフィルム、アルミニウム箔ラミネートフィルム、結晶性ポリプロピレンシートを用いるものが提案されている（特許文献１）。
【０００４】
また、防水処理を施されたウエットティッシュ紙容器としては、例えば、容器体に防水処理を施した紙箱で、且つ取出口を除いて密閉構造に形成し、さらに取出口の口縁部端面に、その全周に亘って防水剤を塗布するとともに容器体の上面部に紙製の蓋板を設けて取出口の開閉をするウエットティッシュ包装体（特許文献２）が提案されている。或は、紙製の容器本体の内面をプラスチックフィルムで被覆し、容器本体の頂面に摺動可能なスライド蓋を設けたウエットティッシュ包装体（特許文献３）が提案されている。
【０００５】
しかしながら、これら提案のウエットティッシュ収納容器は、容器を構成する部材に、ポリエチレンテレフタレート、結晶性ポリプロピレン、アルミニウム等生分解が困難なものが含まれるため、使用後容器を廃棄する際に、環境汚染を防止できない。
【特許文献１】：特開平９−２２１１７９号公報（特許請求の範囲）
【特許文献２】：特開平９−２５４８号公報（特許請求の範囲）
【特許文献３】：実案第３０６０４３２号公報（特許請求の範囲）
【発明の開示】
【発明が解決しようとする課題】
【０００６】
本発明は上記事情に鑑みなされたもので、その目的とするところは、収納されたウエットティッシュ中の水分の蒸散防止性や剛性に優れ、使用後の廃棄に際し、環境に対する負荷を軽減でき、環境汚染を防止できるウエットティッシュ収納容器を提供することにある。
【課題を解決するための手段】
【０００７】
上記課題を解決する本発明は以下に記載するものである。
【０００８】
〔１〕  内部にウエットティッシュを収納すると共にその天板に開口部を有する紙製筺本体と、該天板の下面に貼着され該ウエットティッシュを取出す取出孔を前記開口部内に形成した裏面フィルムと、該天板の上面の少なくとも該開口部外周縁部に形成した粘着剤層と、前記開口部を覆って該粘着剤層に着脱自在に粘着する密閉紙蓋とを有するウエットティッシュ収納容器であって、該紙製筺本体が内面を生分解性樹脂による耐水処理が施されてなることを特徴とするウエットティッシュ収納容器。
【０００９】
〔２〕  内部にウエットティッシュを収納すると共にその天板に開口部を有する紙製筺本体と、該天板の下面に貼付けられ該ウエットティッシュを取出す取出孔を前記開口部内に形成した裏面フィルムと、該裏面フィルムの上面の少なくとも取出孔周縁部に形成した粘着剤層と、該取出孔を覆って該粘着剤層に着脱自在に粘着する開閉フラップと、該開閉フラップを覆って開閉する開閉紙蓋とを有するウエットティッシュ収納容器であって、該紙製筐本体が内面を生分解性樹脂による耐水処理が施されてなることを特徴とするウエットティッシュ収納容器。
【００１０】
〔３〕  内部にウエットティッシュを収納すると共にその天板に開口部を有する紙製筺本体と、該天板の下面に貼付けられ該ウエットティッシュを取出す取出孔を前記開口部内に形成した裏面フィルムと、該裏面フィルムの該取出孔を覆って裏面フィルムの上面に着脱自在に粘着する開閉フラップであって下面に粘着剤層を形成した開閉フラップと、該開閉フラップを覆って開閉する開閉紙蓋とを有するウエットティッシュ収納容器であって、該紙製筐本体が内面を生分解性樹脂による耐水処理が施されてなることを特徴とするウエットティッシュ収納容器。
【００１１】
〔４〕  取出孔がスリット状または楕円状である〔１〕乃至〔３〕の何れかに記載のウエットティッシュ収納容器。
【００１２】
〔５〕  開閉紙蓋がその一端を筺本体にヒンジ部を介して連結されている〔１〕乃至〔３〕の何れかに記載のウエットティッシュ収納容器。
【００１３】
〔６〕  開閉紙蓋の他端側に筺本体と係合する嵌合用突起を有する〔１〕乃至〔３〕の何れかに記載のウエットティッシュ収納容器。
【００１４】
〔７〕  生分解性樹脂が、脂肪族ポリエステル系生分解性樹脂、澱粉系生分解性樹脂、ポリ乳酸系生分解性樹脂、セルロース系生分解性樹脂及びポリビニルアルコール系生分解性樹脂よりなる群から選ばれる少なくとも１種である〔１〕乃至〔６〕の何れかに記載のウエットティッシュ収納容器。
【００１５】
〔８〕  ウエットティッシュが、セルロース成分９０質量％以上の抄紙シート又は不織布からなる薄葉体と、該薄葉体１００質量部に対し５〜１００質量部の水分とからなる〔１〕乃至〔７〕の何れかに記載のウエットティッシュ収納容器。
【発明の効果】
【００１６】
本発明のウエットティッシュ収納容器は、紙製筺本体及び密閉紙蓋又は開閉紙蓋が紙を基材とし、紙製筺本体の内面に生分解性樹脂による耐水処理が施されている。従って、ウエットティッシュ収納容器全体が実質的に生分解性材料で構成されている。このため、容器の廃棄に際し、例えば、埋め立て廃棄された場合に容器の全てが土壌として還元される。万一、不当に廃棄された場合でも永続的に環境を汚染することは無い。また、焼却処理された場合も、ダイオキシン等環境を汚染する物質の発生が無い。このように、本発明のウエットティッシュ収納容器は、環境保護性に優れる。
【００１７】
また、本発明のウエットティッシュ収納容器は、収納紙製筺本体の内面に生分解性樹脂による耐水処理が施されているので、収納されたウエットティッシュ中の水分の蒸散防止性に優れる。
【００１８】
更に、本発明のウエットティッシュ収納容器は、収納紙製筺本体の内面に生分解性樹脂による耐水処理が施されているので収納容器の剛性に優れる。例えば、ウエットティッシュを収納した容器を商品として流通させる際、商品を複数段積み重ねても容器の変形が少ない。
【発明を実施するための最良の形態】
【００１９】
（生分解性樹脂）
本発明において紙製筺本体の内面は生分解性樹脂により耐水処理が施されている。この生分解性樹脂は、自然界において細菌やカビ等の微生物により樹脂自体が容易に分解される重合体である。このような重合体としては、例えば脂肪族ポリエステル系生分解性樹脂、澱粉系生分解性樹脂、ポリ乳酸系生分解性樹脂、セルロース系生分解性樹脂、ポリビニルアルコール系生分解性樹脂等を挙げることができる。
【００２０】
（脂肪族ポリエステル系生分解性樹脂）
本発明における脂肪族ポリエステル系生分解性樹脂とは、分子鎖中に芳香環を含まない公知のポリエステル系生分解性樹脂であり、例えば、化学合成された脂肪族ポリエステル系生分解性樹脂、微生物により発酵合成された脂肪族ポリエステル系生分解性樹脂及びこれらの混合物である。
【００２１】
このような脂肪族ポリエステル系生分解性樹脂のうち、ポリブチレンサクシネート（ＰＢＳ：昭和高分子株式会社製、登録商標ビオノーレ、品番１０００シリーズ）や、ポリブチレンサクシネートアジペート（ＰＢＳＡ：昭和高分子株式会社製、登録商標ビオノーレ、品番３０００シリーズ）樹脂が、後述する生分解性樹脂フィルムの貼り付け処理や生分解性樹脂のホットメルトコーティング処理に用いることが可能であるため好ましい。
【００２２】
或は、ポリブチレンサクシネート（ＰＢＳ）やポリブチレンサクシネートアジペート（ＰＢＳＡ）のエマルジョン（例えば、昭和高分子株式会社製、登録商標ビオノーレエマルジョン、品番ＥＭ−３０１、品番ＥＭ−９０１等）が、収納容器本体の内面処理に用いることができるため特に好ましい。ポリブチレンサクシネート（ＰＢＳ）やポリブチレンサクシネートアジペート（ＰＢＳＡ）のフィルムは、本発明における裏面フィルムや開閉フラップに用いることもできる。
【００２３】
尚、ウエットティッシュ収納容器本体の組立て用接着剤には、脂肪族ポリイソシアネートの（例えば、昭和高分子株式会社製、登録商標ビオノーレエマルジョン、品番ＫＢＸ−０５０１）が好ましい。
【００２４】
（澱粉系生分解性樹脂）
本発明における澱粉系生分解性樹脂とは、澱粉の分子骨格を分子構造に含む重合体である。この澱粉系生分解性樹脂は、ウエットティッシュ収納容器本体の組立ての際に紙基材の接着剤として好ましく用いることができる。
【００２５】
（ポリ乳酸系生分解性樹脂）
本発明におけるポリ乳酸系生分解性樹脂とは、ポリ乳酸および／またはその共重合体である。上記において、ポリ乳酸とはＬ-、Ｄ-またはＬＤ-乳酸単位を主成分とする重合体であって、少量共重合成分として他のヒドロキシカルボン酸単位を含んでもよく、少量の鎖延長剤残基を含んでもよい。
【００２６】
（セルロース系生分解性樹脂）
本発明におけるセルロース系生分解性樹脂とは、セルロースの分子骨格を分子構造に含む重合体である。
【００２７】
（ポリビニルアルコール系生分解性樹脂）
本発明におけるポリビニルアルコール系生分解性樹脂とは、ビニルアルコールの分子骨格を分子構造に含む重合体である。
【００２８】
（生分解性樹脂による処理）
本発明における紙製筺本体は、その内面に生分解性樹脂による耐水処理（以下、『樹脂処理』ということがある）が施されている。この樹脂処理とは、生分解性樹脂フィルムの貼り付け処理、生分解性樹脂分散液又は溶液のコーティング処理、生分解性樹脂のホットメルトコーティング処理及び生分解性樹脂の含浸処理よりなる群から選ばれる少なくとも１種である。樹脂処理は、収納容器を組立てる前に容器基材である紙の内面側に施すことが好ましいが、収納容器の基材である紙を容器形状に組立て、その内面に施しても良い。
【００２９】
或は、予め片面に樹脂処理を施した紙を用いて容器形状に組立てることもでき、この場合は樹脂処理が省略できる。
【００３０】
樹脂処理が、生分解性樹脂フィルムの貼り付け処理の場合は、生分解性樹脂のフィルムを容器基材である紙の内面側に貼り付ける。フィルムを貼り付ける処理は、接着剤を介して行うことが好ましい。この時に用いる接着剤は、澱粉等生分解性のものが好ましい。尚、フィルムの貼り付け処理は、収納容器を組立てた後に実施することが困難であるため、収納容器を組立てる前に容器基材の内面側に施すことが好ましい。このフィルムの貼り付け処理に用いる生分解性樹脂は、ポリブチレンサクシネート（ＰＢＳ）や、ポリブチレンサクシネートアジペート（ＰＢＳＡ）等の脂肪族ポリエステル系生分解性樹脂が特に好ましい。
【００３１】
樹脂処理が、生分解性樹脂分散液又は溶液のコーティング処理の場合は、生分解性樹脂の水溶液又は水分散液（有機溶剤の溶液又は分散液であっても良い）を容器基材の内面側に塗布した後、水（有機溶剤）を加熱除去することにより生分解性樹脂の薄層を形成させることにより行う。この生分解性樹脂分散液又は溶液のコーティング処理に用いる生分解性樹脂は、ポリブチレンサクシネート（ＰＢＳ）や、ポリブチレンサクシネートアジペート（ＰＢＳＡ）等の脂肪族ポリエステル系生分解性樹脂のエマルジョンが特に好ましい。
【００３２】
樹脂処理が、生分解性樹脂のホットメルトコーティング処理の場合は、容器基材の内面側に溶融状態の生分解性樹脂をホットメルトコーティングし、生分解性樹脂の薄層を形成させることにより行う。尚、このホットメルトコーティング処理の場合も、収納容器を組立てた後に実施することが困難であるため、収納容器を組立てる前に容器基材の片面に施すことが好ましい。このホットメルトコーティング処理に用いる生分解性樹脂は、ポリブチレンサクシネート（ＰＢＳ）や、ポリブチレンサクシネートアジペート（ＰＢＳＡ）等の脂肪族ポリエステル系生分解性樹脂が特に好ましい。
【００３３】
樹脂処理が、生分解性樹脂の含浸処理の場合は、予め作成された生分解性樹脂の水溶液又は水分散液（有機溶剤の溶液又は分散液であっても良い）を容器基材の内面側に浸透させた後、水（有機溶剤）を加熱除去することにより容器基材の内面側に生分解性樹脂を含浸させる。尚、この含浸処理の場合は、収納容器基材の紙を容器形状に組立てた後に実施することもできるが、収納容器を組立てる前に容器基材の片面に施すことが好ましい。このフィルムの含浸処理に用いる生分解性樹脂は、前記ポリブチレンサクシネート（ＰＢＳ）や、ポリブチレンサクシネートアジペート（ＰＢＳＡ）等の脂肪族ポリエステル系生分解性樹脂のエマルジョンが特に好ましい。
【００３４】
（収納容器基材）
本発明における紙製筺本体及び密閉紙蓋又は開閉紙蓋の基材には板紙を用いる。この板紙には、通常の多層抄き抄紙により得られる多層抄き板紙を用いることが好ましい。板紙の特性としては、米坪が２００〜６００ｇ／ｍ2 、層数が２〜８であることが好ましい。抄紙に用いる原料パルプは、通常の板紙抄紙用パルプが好ましい。
【００３５】
（ウエットティッシュ）
本発明におけるウエットティッシュとは、家具や用具に用いる清掃用のもの、或いは人体に対して拭き取りに用いる衛生用のものであり、水分を含有する薄葉体である。
【００３６】
このウエットティッシュは、セルロース成分９０質量％以上の抄紙シート又は不織布からなる薄葉体であることが好ましい。また、薄葉体１００質量部に対し５〜１００質量部の水分とからなるものが好ましい。
【００３７】
ウエットティッシュが抄紙シートの場合、晒パルプを原料として抄紙されたシートであることが好ましい。
【００３８】
また、ウエットティッシュが不織布の場合、例えば、レーヨンのようなセルロース繊維で形成されている不織布であることが好ましい。
【００３９】
以下、本発明について詳細に説明する。
【００４０】
（第１の形態）
図１は、本発明のウエットティッシュ収納容器の一例を示す平面図である。収納容器は、片面に生分解性樹脂（ＰＢＳ：昭和高分子株式会社製、登録商標ビオノーレ、品番１０００）を２０μｍの厚みにコーティングした紙基材（米坪が４００ｇ／ｍ2 の板紙）のコーティング面を内面として組立てられている。組立ての際に紙基材の接着剤として澱粉系生分解性樹脂が用いられている。
【００４１】
図１中、１００はウエットティッシュ収納容器である。２は紙製筺本体１の天板である。前記天板２の中央近傍には略楕円状に切り欠いた開口部３が形成されている。
【００４２】
４は長方形に裁断された裏面フィルム（厚み１００μｍのポリエチレンフィルム）で、天板２の下面（紙製筺本体１の内面）に貼着されている。前記裏面フィルム４の中央部には開口部３の長軸方向に沿って細長いスリット状の取出孔５が前記開口部３内に形成されている。
【００４３】
前記天板２の上面（筺本体の外方）には、前記開口部３の外周縁部に沿ってポリビニルアセテート又はその誘導体等の粘着剤からなる粘着剤層７が形成されている。
【００４４】
９は密閉紙蓋で、その一端をヒンジ構造９ａを介して筺本体１に結合されていると共に、中間にも折曲げ部２７を形成している。前記密閉紙蓋９の他端側には嵌合用突起２１が形成されている。
【００４５】
前記筺本体１の天板２にはスリット状の嵌合用溝２３が形成されており、後述するようにヒンジ９ａ、折曲げ部２７を折曲げて密閉紙蓋９で天板２を覆う際に、前記係合用突起２１を係止することにより、天板２に密閉紙蓋９が固定される。
【００４６】
３１は筺本体１内に収納されているウエットティッシュである。
【００４７】
前述のように、密閉紙蓋９で開口部３上面を覆って天板２に重ね、密閉紙蓋９の下面を粘着剤層７に粘着させることにより、密閉紙蓋９を粘着剤層７を介して天板２に着脱自在に粘着できる。粘着剤層７は取出孔５の外周縁に沿って天板２上に形成されている。従って、密閉紙蓋９が開口部３を覆って天板２に粘着された際は、紙製筺本体１の内部は密封され、収納されているウエットティッシュ中の水分蒸散が防止される。
【００４８】
図１中の、ａ−ａ線に沿う断面を図２に示す。図２は密閉紙蓋９をはずして、密閉紙蓋９を開けている状態を示す。１１は筺本体１を構成する紙基材、１３は紙基材１１の内面にコーティングされている生分解性樹脂層である。
【００４９】
図３は上記密閉紙蓋９を筺本体１の天板２に粘着させ、密閉紙蓋９を閉じている状態を示す断面図である。
【００５０】
上記ウエットティッシュ収納容器の斜視図を図４に示す。
【００５１】
上記ウエットティッシュ収納容器の展開図を図５に示す。
【００５２】
本発明の１形態を説明したがこれに限らず、本発明は以下に記載する用に、適宜変形することができる。
【００５３】
生分解性樹脂による耐水処理は密閉紙蓋９の内面にも施されていることが収納されたウエットティッシュ中の水分の蒸散防止性が更に良好となるため好ましい。
【００５４】
紙製筺本体１の天板に設けられている開口部３の形状は図１に示したように略楕円形の長軸を収納容器本体１の長さ方向と一致させて形成されているが、長辺を収納容器本体１の長さ方向と一致させて形成されている略長方形状であっても良い。
【００５５】
本発明において、筺本体の材質は紙であり、厚みが０．２〜１．０ｍｍ（米坪が２００〜６００ｇ／ｍ2 ）の板紙であることが好ましい。収納容器の外側には、印刷が施されていても良い。
【００５６】
本発明において、裏面フィルム４は生分解性樹脂で形成されていることが好ましい。また、粘着剤７も生分解性樹脂で形成されていることが好ましい。
【００５７】
更に、収納容器の形状は立方体、直方体等任意の形状を採用でき、また開口部の形状及び寸法も正方形、長方形等各種の形状を採用できる。
【００５８】
（第２の形態）
図６は、ウエットティッシュ収納容器の他の例を示す平面図である。この収納容器は、片面に生分解性樹脂ポリブチレンサクシネートアジペート（ＰＢＳＡ）のエマルジョン（昭和高分子株式会社製、登録商標ビオノーレエマルジョン、品番ＥＭ−９０１）を含浸させた紙基材の含浸面を内側にして組立てられている。組立ての際に紙基材の接着剤として脂肪族ポリイソシアネートの（昭和高分子株式会社製、登録商標ビオノーレエマルジョン、品番ＫＢＸ−０５０１）が用いられている。
【００５９】
図６中、２は直方体状の紙製筺本体１の天板である。前記天板２は、筺本体１の長辺に沿って形成されたヒンジ２９を残して略楕円形に切込まれて開口部３が形成されると共に、ヒンジ２９に沿って折返すことにより開閉自在の開閉紙蓋８が形成されている。
【００６０】
４は天板２の裏面（筺本体１の内側）に貼着された裏面フィルム（厚み１００μｍのポリブチレンサクシネート（ＰＢＳ：昭和高分子株式会社製、登録商標ビオノーレ、品番１０００）フィルム）である。前記裏面フィルム４には略その中央に楕円形の取出孔５が形成されている。
【００６１】
６は長方形の開閉フラップ（厚み１００μｍのポリエチレンフィルム）で、その裏面（筺本体１の内側に近い面、下面）には接着剤を塗布して形成した接着剤層７が形成されている。そして、開閉フラップ６は取出孔５を覆って裏面フィルム４に着脱自在に貼着されている。その他の構成は図１と同様であるので、同一箇所に同一符号を付してその説明を省略する。
【００６２】
粘着剤層７は取出孔５の外周縁部を囲うように開閉フラップ６の裏面に塗布されている。従って、開閉フラップ６が取出孔５を覆って裏面フィルム４に粘着された際には、筺本体１の内部は密封され、収納されているウエットティッシュ３１中の水分蒸散が防止される。
【００６３】
図６における、ｂ−ｂ線に沿った断面図を図７に示す。
【００６４】
図８は、開閉紙蓋８を閉じた状態を示す断面図である。
【００６５】
図９はウエットティッシュ収納容器の斜視図である。
【００６６】
図７、図８で１５は紙製筺本体内面の生分解性樹脂含浸層である。
【００６７】
図１０はウエットティッシュ収納容器の展開図である。
【００６８】
本発明の他の形態を説明したがこれに限らず、前述のように適宜変形することができる。
【００６９】
なお、上記第２の形態に於いては、粘着剤層７を開閉フラップ６の下面に形成したがこれに限られず、裏面フィルム４の上面に形成しても良い。
【図面の簡単な説明】
【００７０】
【図１】本発明のウエットティッシュ収納容器の一例を示す平面図である。
【図２】図１における、ａ−ａ線に沿った断面図である。
【図３】本発明における密閉紙蓋を紙製筺本体の天板に粘着させて閉じた状態の一例を示す断面図である。
【図４】本発明のウエットティッシュ収納容器の一例を示す斜視図である。
【図５】本発明のウエットティッシュ収納容器の一例を示す展開図である。
【図６】本発明のウエットティッシュ収納容器の他の一例を示す平面図である。
【図７】図６における、ｂ−ｂ線に沿った断面図の一例である。
【図８】本発明におけるウエットティッシュ収納容器の開閉紙蓋を覆って閉じた状態の一例を示す断面図である。
【図９】本発明のウエットティッシュ収納容器の他の例を示す斜視図である。
【図１０】本発明のウエットティッシュ収納容器の他の例を示す展開図である。
【符号の説明】
【００７１】
１００    ウエットティッシュ収納容器
１    紙製筺本体
２    天板
３    開口部
４    裏面フィルム
５    取出孔
６    開閉フラップ
７    粘着剤
８    開閉紙蓋
９    密閉紙蓋
９ａ    ヒンジ構造
１１    紙基材
１３    生分解性樹脂層
１５    生分解性樹脂含浸層
２１    嵌合用突起
２３    嵌合用溝
２５    開閉紙蓋の摘み部
２７    折曲げ部
２９    開閉紙蓋用ヒンジ
３１    ウエットティッシュ
【図１】
2005219773.tif 000003
【図２】
2005219773.tif 000004
【図３】
2005219773.tif 000005
【図４】
2005219773.tif 000006
【図５】
2005219773.tif 000007
【図６】
2005219773.tif 000008
【図７】
2005219773.tif 000009
【図８】
2005219773.tif 000010
【図９】
2005219773.tif 000011
【図１０】
2005219773.tif 000012